(57)【要約】【課題】明るさが暗くなることを抑制しながらも、始動性および耐振動性の両方を向上することができる照明器具を提供することにある。【解決手段】照明器具１は、透光性材料により形成されたバルブ２１０を有する無電極放電ランプよりなるランプ２００が貫挿された環状のコア２と、ランプ２００のコア２への貫挿方向と交差する方向を巻き軸方向とする形でコア２に設けられた誘導コイル３と、誘導コイル３に高周波電力を供給してランプ２００点灯用の高周波電磁界を発生させる点灯装置４とを器具本体５に備え、器具本体５には、ランプ２００を器具本体５に対する規定位置に保持するランプホルダ６が設けられ、ランプホルダ６は、金属材料により形成され、バルブ２１０における器具本体側とは反対側の部位を露出させる形でバルブ２１０を保持するアーム６０を有する。【選択図】図１
2009205854.tif 000002
【特許請求の範囲】
【請求項１】
透光性材料により形成されたバルブを有する無電極放電ランプが貫挿された環状のコアと、無電極放電ランプのコアへの貫挿方向と交差する方向を巻き軸方向とする形でコアに設けられた誘導コイルと、誘導コイルに高周波電力を供給して無電極放電ランプを点灯させる高周波電磁界を発生させる点灯装置とを器具本体に備え、
器具本体には、無電極放電ランプを器具本体に対する規定位置に保持するランプホルダが設けられ、
ランプホルダは、導電性を有する材料により形成され、バルブにおける器具本体側とは反対側の部位を露出させる形でバルブを保持するアームを有していることを特徴とする照明器具。
【請求項２】
上記バルブは内部が空洞の環形のものであって、
上記ランプホルダは、上記バルブの外周部に当接する少なくとも一対のアーム、または上記バルブの内周部に当接する少なくとも一対のアームを有していることを特徴とする請求項１記載の照明器具。
【請求項３】
上記バルブは内部が空洞の環形のものであって、
上記アームは、上記無電極放電ランプの放電路において上記コアを始点または終点とする部分の中間部分でバルブを保持することを特徴とする請求項１または２記載の照明器具。
【請求項４】
上記ランプホルダを複数備えていることを特徴とする請求項１〜３のうちいずれか１項記載の照明器具。
【発明の詳細な説明】
【技術分野】
【０００１】
本発明は、照明器具、特に光源として無電極放電ランプを用いた照明器具に関するものである。
【背景技術】
【０００２】
従来から、光源として無電極放電ランプ（無電極放電灯）を用いた照明器具が種々提案されている（例えば、特許文献１参照）。
【０００３】
例えば、図６に示す照明器具１００は、透光性材料により形成された平面視長円形状のバルブ２１０を有した無電極放電ランプよりなるランプ２００を光源とする。この照明器具１００は、ランプ２００のバルブ２１０の長手方向一端部（図６（ａ）における左端部）に固定されたコア１１０と、コア１１０に設けられた誘導コイル１２０と、誘導コイル１２０に高周波電力を供給してランプ２００を点灯させる高周波電磁界を発生させる点灯装置１３０とを器具本体１４０に備える。なお、図６（ｂ）では点灯装置１３０および器具本体１４０の図示を省略している。
【特許文献１】特表平１０−５１１８０６号公報
【発明の開示】
【発明が解決しようとする課題】
【０００４】
上述した照明器具１００では、ランプ２００はコア１１０により器具本体１４０に対する規定位置に取り付けられる。つまり、コア１１０がランプ２００のランプホルダを構成する。コア１１０は、上述したようにランプ２００の長手方向一端部（図６（ａ）における左端部）に固定される。そのため、地震などにより器具本体１００が振動した際には、ランプ２００が図６（ｂ）に矢印Ａで示す方向に揺れる。そして、このような揺れが大きくなった際には、バルブ２１０とコア１１０との間に無理な負荷がかかって、バルブ２１０が破損してしまうおそれがある。
【０００５】
このような問題を解決する方法としては、器具本体１４０にコア１１０に加えてランプホルダ（図示せず）を設けることが考えられる。しかしながら、ランプホルダを設けた場合には、ランプホルダによってランプ２００の光が遮られることになるから、照明器具１００により得られる明るさが暗くなってしまうという新たな問題が生じていた。
【０００６】
また、上述したような照明器具１００では、例えばランプ２００の径が小さかったり、放電路長が長かったりして、ランプ２００の始動電圧が比較的高い場合でも、ランプ２００を安定して点灯できるように、その始動性が高いことが望まれる。ここで、始動性を高める方法としては、コア１１０のサイズを大きくすることが考えられる。しかしながら、コア１１０のサイズを大きくすると、コア１１０によって遮られるランプ２００の光の量が増えて、照明器具１００により得られる明るさが暗くなってしまい、またコア１１０が高価になるという問題が生じてしまう。
【０００７】
本発明は上述の点に鑑みて為されたもので、その目的は、明るさが暗くなることを抑制しながらも、始動性および耐振動性の両方を向上することができる照明器具を提供することにある。
【課題を解決するための手段】
【０００８】
上述の課題を解決するために、請求項１の発明では、透光性材料により形成されたバルブを有する無電極放電ランプが貫挿された環状のコアと、無電極放電ランプのコアへの貫挿方向と交差する方向を巻き軸方向とする形でコアに設けられた誘導コイルと、誘導コイルに高周波電力を供給して無電極放電ランプを点灯させる高周波電磁界を発生させる点灯装置とを器具本体に備え、器具本体には、無電極放電ランプを器具本体に対する規定位置に保持するランプホルダが設けられ、ランプホルダは、導電性を有する材料により形成され、バルブにおける器具本体側とは反対側の部位を露出させる形でバルブを保持するアームを有していることを特徴とする。
【０００９】
請求項１の発明によれば、無電極放電ランプを器具本体の規定位置に保持するランプホルダを備えるので、ランプを器具本体により強固に保持させることができるから、耐振動性（耐震性）を向上することができ、その結果、照明器具が振動したときでも、無電極放電ランプが器具本体に対して振動し難くなり、無電極放電ランプが器具本体から脱落することなどを防止することができる。しかもランプホルダが導電性を有する材料により形成されているので、ランプホルダが始動電圧（放電開始電圧、開始電圧）を低下させる始動補助部材（近接導体）として作用するから、無電極放電ランプの始動に必要な電圧を下げることができて、始動性を向上することができる。さらにランプホルダはバルブにおける器具本体側とは反対側の部位を露出させる形でバルブを保持するから、ランプホルダによって無電極放電ランプの光が遮られて明るさが暗くなってしまうことを抑制することができる。
【００１０】
請求項２の発明では、請求項１の発明において、上記バルブは内部が空洞の環形のものであって、上記ランプホルダは、上記バルブの外周部に当接する少なくとも一対のアーム、または上記バルブの内周部に当接する少なくとも一対のアームを有していることを特徴とする。
【００１１】
請求項２の発明によれば、２個のランプホルダを用いなくても、１個のランプホルダによってバルブ全体を支持できるから、ランプホルダによって無電極放電ランプの光が遮られることに起因する明るさの低下を抑制することができる。
【００１２】
請求項３の発明では、請求項１または２の発明において、上記バルブは内部が空洞の環形のものであって、上記アームは、上記無電極放電ランプの放電路において上記コアを始点または終点とする部分の中間部分でバルブを保持することを特徴とする。
【００１３】
請求項３の発明によれば、無電極放電ランプの放電路においてコアを始点または終点とする部分の中間部分にランプホルダのアームが位置するので、アームとコアとの間の放電路長が互いに等しくなるから、中間部分以外にアームが位置してアームとコアとの間の放電路長に偏りがある場合に比べれば、始動電圧を低下させることができて、始動性を向上することができる。
【００１４】
請求項４の発明では、請求項１〜３のうちいずれか１項の発明において、上記ランプホルダを複数備えていることを特徴とする。
【００１５】
請求項４の発明によれば、始動性および耐振動性をさらに向上することができる。
【発明の効果】
【００１６】
本発明は、明るさが暗くなることを抑制しながらも、始動性および耐振動性の両方を向上することができるという効果を奏する。
【発明を実施するための最良の形態】
【００１７】
本発明の一実施形態の照明器具は、図１（ａ），（ｂ）に示すように、ランプ２００が貫挿された複数個（図示例では２個）の環状のコア２と、ランプ２００のコア２への貫挿方向と交差する方向を巻き軸方向とする形でコア２に設けられた誘導コイル３と、誘導コイル３に高周波電力を供給してランプ２００点灯用の高周波電磁界を発生させる点灯装置４とを器具本体５に備える。
【００１８】
ランプ２００は、透光性材料（一例としては石英ガラス）により形成されたバルブ２１０を有する。バルブ２１０は、互いに平行する一対の円筒状の長辺部２１１ａ，２１１ｂと、長辺部２１１ａ，２１１ｂそれぞれの軸方向一端部（図１（ａ）における右端部）同士および軸方向他端部（図１（ａ）における左端部）同士をそれぞれ一体に連結する一対の連結部２１２ａ，２１２ｂとを有する。連結部２１２ａ，２１２ｂは弧状（正円の弧状）に形成される。すなわち、バルブ２１０は、中空の環形（管体を曲げてその両端開口同士を繋げた形状、トーラス形状、輪環形状、円環形状、ドーナツ形状、トラック形状、長円形状ともいう）に形成される。なお、連結部２１２ａ，２１２ｂそれぞれの曲率は等しく、バルブ２１０の軸方向に直交する面における断面積は一様な大きさである。
【００１９】
バルブ２１０の中には、例えば放電ガスとして、アルゴンなどの希ガス（不活性ガス）と、金属蒸気（一例としては水銀蒸気）よりなる発光ガスとが封入される。金属蒸気として水銀蒸気を使用した場合には、紫外線が放射される。そのため、バルブ２１０の内面全体（内面の全面）には、必要に応じてバルブ２１０内部で発生した紫外線を可視光に変換するための蛍光体が塗布される。ここで、バルブ２１０が石英ガラスにより形成されている場合には、石英ガラスと水銀との反応を抑えるための保護膜を蛍光体とバルブ２１０の内面との間に介在させる。なお、上記蛍光体は、ランプ２００より得たい光色に応じて選択される。この種の蛍光体については従来周知であるから説明を省略する。
【００２０】
ところで、バルブ２１０には、必要に応じて突起部２２０が突出形成される。図１（ａ）に示すバルブ２１０では、その大円周方向（トロイダル方向）の外周部２１０ａにおける連結部２１２ｂの中央部に突起部２２０が形成されている。突起部２２０は、バルブ２１０の表面側（外面側）において円柱形状の凸部を構成するとともに、バルブ２１０の裏面側（内面側）において円柱形状の凹部を構成しており、バルブ２１０の最冷部として用いられる。
【００２１】
なお、バルブ２１０の中には、水銀を供給する（水銀を蒸発させ、必要な水銀蒸気圧を確保する）ための水銀供給部（一例としては亜鉛−水銀アマルガム）や、暗所における初期電子の不足を補うための暗所始動補助部（一例としてはセシウム）が必要に応じて封入される。また、希ガスとしては、アルゴンの他に、ネオンや、クリプトン、キセノン、またはこれらを混合したものなど（一例としてはアルゴンとクリプトンとの混合ガス）を採用することができる。また、金属蒸気としては、水銀蒸気の他に、ナトリウム、カドミウム、亜鉛などの蒸気を採用することができる。
【００２２】
コア２は、磁性体（例えば、亜鉛、マンガン、ニッケル、鉄などを成分に含むフェライト）により環状（リング状）に形成される。コア２の内周形状はバルブ２１０の小円周方向（ポロイダル方向）における外周形状（例えば長辺部２１１ａ，２１１ｂの軸方向に直交する面内における長辺部２１１ａ，２１１ｂの外周形状）よりやや大きく形成される。コア２には、ランプ２００のバルブ２１０が貫挿される。そのため、コア２の周方向は、ランプ２００の貫挿方向に交差（本実施形態の場合は直交）する方向となる。コア２にランプ２００のバルブ２１０を貫挿した状態では、コア２の内周面がバルブ２１０の外周面（ポロイダル方向の外周面）に当接する。これによってバルブ２１０がコア２により保持される。なお、コア２はバルブ２１０に取り付け可能とするために径方向において分割可能に構成される。
【００２３】
このようなコア２には、誘導コイル３を形成するための導線（例えばメッキ線やリッツ線など）がコア２の周方向を巻き軸方向として巻回される。これによってコア２に誘導コイル３が設けられる。このような誘導コイル３はトロイダルコイルであり、通電時には閉磁路を形成する。なお、導線をコア２に巻回するにあたっては、コア２の周方向の全体に巻回するのではなく、コア２の周方向における一部分にできるだけ点灯装置４との配線長が短くなるように巻回することが好ましい。
【００２４】
点灯装置４は、例えば、商用電源などの交流電源により得られた交流電圧を所定の高周波電圧に変換し、給電線４ａを通じてコア２に設けた誘導コイル３に高周波電力を供給する（高周波電流を流す）高周波電源部（図示せず）や、調光用のパルスジェネレータから指示されるデューティ比に応じて高周波電源部の出力をオンオフ制御する調光制御部（図示せず）などを備える。この種の点灯装置４は、従来周知のものを採用できるから、詳細な説明は省略する。
【００２５】
この点灯装置４より誘導コイル３に高周波電流を流すと、誘導コイル３の周囲に高周波電磁界が発生する。この高周波電磁界によりバルブ２１０内の電子が加速される。そして、加速された電子が水銀原子に衝突することで、水銀原子が電離する（水銀原子の電離は、アルゴンなどの希ガスによるペニング効果によっても生じる）。これによって放電が開始され、上述した電離が繰り返されることで放電が維持され、やがてバルブ２１０内にプラズマが発生する。そして、プラズマが発生すると、高周波電磁界によるエネルギのほとんどが電子で費やされるようになり、高周波電磁界により加速された電子が水銀原子に衝突することで水銀原子が電離、あるいは励起される。そして、励起された水銀原子が基底状態に戻るときに、励起状態と基底状態とのエネルギ差に相当する波長の光、すなわち紫外線（波長が２５４ｎｍの紫外線、および波長が１８５ｎｍの紫外線）が放射される。このような紫外線は、バルブ２１０の内面に塗布された蛍光体により可視光に変換されて、バルブ２１０から外方に放射される。このようにしてランプ２００が点灯する。
【００２６】
器具本体５は、例えば室内の天井に固定あるいは吊り下げられるものであり、金属材料（例えばアルミニウムや鋼など）や樹脂材料などにより矩形板状に形成される。器具本体５の長手方向一端側（図１（ａ）における左端側）には、２個のコア２が器具本体５の短手方向（図１（ａ）における上下方向）で並ぶ形に取り付けられる。またコア２は自身の中心軸方向（バルブ２１０が貫挿される方向）を器具本体５の長手方向に沿わせた形で器具本体５に取り付けられる。２個のコア２間の間隔は、バルブ２１０の長辺部２１１ａ，２１１ｂ間の間隔に等しい。これによって、２個のコア２で、バルブ２１０の各長辺部２１１ａ，２１１ｂの軸方向他端部（図１（ａ）における左端部）を支持する。なお、以下の説明では、２個のコア２を区別するために必要に応じて長辺部２１１ａを支持するコア２を符号２Ａで表し、長辺部２１１ｂを支持するコア２を符号２Ｂで表す。
【００２７】
ところで、本実施形態における器具本体５には、ランプ２００を器具本体５に対する規定位置に保持するランプホルダ６が設けられる。
【００２８】
ランプホルダ６は、図１（ｂ）に示すように、一対のアーム６０と、器具本体５にネジ止めなどにより固定される台部６１と、一対のアーム６０の基端側（器具本体５側）それぞれを台部６１に一体に連結する連結片６２とで構成される。ランプホルダ６に用いる材料としては、導電性を有する材料、例えば、タングステンや、ニッケル、アルミニウム、白金、モリブデンなどの金属材料や、これら金属材料を含む材料など、ランプ２００の始動電圧を低減する近接導体としての作用を発揮できる材料が採用される。さらに、ランプホルダ６に用いる材料としては、弾性を有する材料が採用される。
【００２９】
ランプホルダ６の一対のアーム６０それぞれは、バルブ２１０の連結部２１２ａの周方向に直交する面内における連結部２１２ａの外径（バルブ２１０の軸方向に直交する面内におけるバルブ２１０の外径）とほぼ等しい外径の円弧状に形成される。ランプホルダ６では、一対のアーム６０は鏡像関係に配置されており、一対のアーム６０間でバルブ２１０を保持する。ここで、一対のアーム６０は先端側（器具本体５側とは反対側）間では一体に連結されていない。そのため、一対のアーム６０の先端間の隙間からはバルブ２１０における器具本体５側とは反対側の部位が露出し、当該隙間よりランプ２００の光が放射される。なお、ランプホルダ６にランプ２００を取り付けるにあたっては、一対のアーム６０の先端間の隙間からランプ２００のバルブ２１０を差し入れて、一対のアーム６０を互いに離間する方向に撓ませればよい。なお、図１（ｂ）および図２では、図面を見やすくするためにランプ２００のバルブ２１０とランプホルダ６のアーム６０との間に隙間を設けているが、実際はランプホルダ６のアーム６０とランプ２００のバルブ２１０とは接触する。
【００３０】
このようにランプホルダ６は、バルブ２１０における器具本体５側とは反対側の部位（図１（ｂ）における上面部）を露出させる形でバルブ２１０を保持するアーム６０を有する。
【００３１】
ランプホルダ６は、図１（ａ）に示すように、器具本体５の長手方向他端側（図１（ａ）における右端側）に配置される。ランプホルダ６は、バルブ２１０が貫挿される方向（図１（ａ）における上下方向）を器具本体５の短手方向に沿わせた形で器具本体５に取り付けられる。また、ランプホルダ６は、２個のコア２間の中央を通り、器具本体５の長手方向に平行する線上に配置される。すなわち、ランプホルダ６と各コア２Ａ，２Ｂとの距離は、いずれも等しく設定され、ランプホルダ６はバルブ２１０の連結部２１２ａの中央部を支持する。
【００３２】
そのため、器具本体５では、２個のコア２と、１個のランプホルダ６とによって、ランプ２００が器具本体５に対する規定位置に取り付けられる。つまり、ランプ２００は、バルブ２１０の各長辺部２１１ａ，２１１ｂの軸方向他端部と、連結部２１２ａの中央部との３点で器具本体５に支持される。
【００３３】
以上述べたように本実施形態の照明器具１によれば、ランプ２００を器具本体５の規定位置に保持するランプホルダ６を備えるので、図６に示す従来例のようにランプ２００を２個のコア１１０によってのみ器具本体１４０に固定する場合に比べれば、器具本体５により強固にランプ２００を保持させることができるから、耐振動性（耐震性）を向上することができ、その結果、地震などによって照明器具１が揺れた（振動した）ときでも、ランプ２００が器具本体５に対して振動し難くなり、ランプ２００が器具本体５から脱落したり、バルブ２１０に負荷がかかってバルブ２１０が破損したりすることなどを防止することができる。また、ランプホルダ６を利用することで、コア１１０の数を増やさずに、ランプ２００の固定強度（取付強度）を向上できるから、コア１１０の数を増やす場合に比べれば、消費電力や製造コストの低減が図れる。
【００３４】
しかも、ランプホルダ６は、導電性を有する材料により形成されているので、ランプホルダ６が始動電圧を低下させる始動補助部材（近接導体）として作用するから、ランプ２００の始動に必要な電圧を下げることができて、始動性を向上することができる。例えば、ランプ２００が、放電ガスとしてアルゴンガスおよび水銀蒸気をバルブ２１０に封入したものであって、その放電路長がおよそ１０００ｍｍのものである場合、始動電圧は、およそ１０００Ｖになる。このようなランプ２００を本実施形態の照明器具１に用いた場合、ランプホルダ６の存在によって、始動電圧が１０００Ｖから９００Ｖと、約１０％低下するということが確かめられている。また、本実施形態における誘導コイル３は、トロイダルコイルであり、閉磁路を構成するから、ランプホルダ６のような導体がランプ２００に近接配置されても電気特性に影響がない。
【００３５】
さらに、ランプホルダ６は、図１（ｂ）に示すように、バルブ２１０における器具本体５側とは反対側の部位を露出させる形でバルブ２１０を保持するから、例えばランプホルダ６がバルブ２１０における器具本体５側とは反対側の部位でバルブ２１０を支持するものである場合に比べれば、ランプホルダ６によって遮られるランプ２００の光量（光のケラレ分）を減らすことができ、ランプホルダ６によってランプ２００の光が遮られて明るさが暗くなってしまうことを抑制することができる。
【００３６】
また、本実施形態の照明器具１では、上述したようにランプ２００は２個のコア２と１個のランプホルダ６とにより３点で支持される。このランプ２００では、大円周方向（トロイダル方向）に放電路が形成されるが、放電路は２個のコア２の一方を始点とし、長辺部２１１ａ，２１１ｂおよび連結部２１２ａを通り他方を終点とする部分と、２個のコア２の一方を始点とし連結部２１２ｂを通り他方を終点とする部分とを有する。ここで、ランプホルダ６と各コア２との距離は、いずれも等しく設定されているため、コア２Ａとランプホルダ６との間の放電路長と、コア２Ｂとランプホルダ６との間の放電路長は等しい。すなわち、ランプホルダ６は、ランプ２００の放電路においてコア２を始点または終点とする部分の中間部分でバルブ２１０を保持する。またランプホルダ６は、放電路上において２個のコア２それぞれから最も離れた位置に位置する。
【００３７】
このように本実施形態の照明器具１では、ランプ２００の放電路においてコア２を始点または終点とする部分の中間部分にランプホルダ６のアーム６０が位置するので、アーム６０とコア２Ａ，２Ｂとの間の放電路長が互いに等しくなるから、中間部分以外にアーム６０が位置してアームとコア２Ａ，２Ｂとの間の放電路長に偏りがある場合に比べれば、始動電圧を低下させることができて、始動性を向上することができる。
【００３８】
ところで、ランプホルダ６は図１に示す構成に限定されず、例えば図２に示すように、一対のアーム６０と、各アーム６０それぞれを器具本体５に固定する台部６１とで構成されていてもよい。この場合でも、上記と同様の効果が得られる。
【００３９】
また、図１に示す照明器具１は、１個のランプホルダ６を備えるものであるが、図３（ａ）に示すように２個のランプホルダ６を備えるものであってもよい。図３（ａ）に示す照明器具１では、２個のランプホルダ６によって、バルブ２１０の各長辺部２１１ａ，２１１ｂの軸方向一端部それぞれが支持される。なお、ランプホルダ６の数は、２個に限定されず、さらに増やしてもよい。ランプホルダ６の数を増やせば、ランプホルダ６間、あるいはランプホルダ６とコア２との間の放電路長を短くすることができるので、始動電圧をさらに低減することができて、始動性を向上できる。また、ランプ２００の器具本体５に対する固定強度を向上できるから、耐振動性を向上することができる。ただし、明るさを考慮すれば、ランプホルダ６の数はできるだけ減らしたほうがよい。つまり、ランプホルダ６の数は、始動性および耐振動性と、明るさとのいずれを重視するかによって決定すればよい。
【００４０】
また、図１に示すランプホルダ６は、一対のアーム６０の一方がバルブ２１０の外周部２１０ａに、他方がバルブ２１０の内周部（大円周方向における内周部）２１０ｂにそれぞれ当接することで、バルブ２１０を保持する。本実施形態におけるランプホルダ６は、図１に示す構成に限らず、図３（ｂ）に示すように、一対のアーム６０の一方が長辺部２１１ａの外周部２１０ａに当接し、他方が長辺部２１１ｂの外周部２１０ａに当接するものであってもよい。図３（ｂ）に示すランプホルダ６は、一対のアーム６０で、バルブ２１０をその短手方向両側から挟みこむことで、バルブ２１０を保持する。また、図３（ｃ）に示すように、一対のアーム６０の一方が長辺部２１１ａの内周部２１０ｂに当接し、他方が長辺部２１１ｂの内周部２１０ｂに当接するものであってもよい。図３（ｃ）に示すランプホルダ６は、一対のアーム６０がバルブ２１０の内側から抜けないようにバルブ２１０を短手方向に付勢することで、バルブ２１０を保持する。
【００４１】
すなわち、ランプホルダ６は、バルブ２１０の外周部２１０ａに当接する少なくとも一対のアーム６０、またはバルブ２１０の内周部２１０ｂに当接する少なくとも一対のアーム６０を有しているものであってもよい。このようなランプホルダ（図３（ｂ），（ｃ）に示すようなランプホルダ）６によれば、図３（ａ）に示すように２個のランプホルダ６を用いなくても、１個のランプホルダ６によってバルブ２１０全体を支持できるから、ランプホルダ６によってランプ２００の光が遮られることに起因する明るさの低下を抑制することができる。
【００４２】
ところで、本実施形態の照明器具１では、２個のコア２で、バルブ２１０の各長辺部２１１ａ，２１１ｂの軸方向他端部を支持している。しかしながら、本実施形態の照明器具１は上記構成に限定されず、例えば、図４に示すように、バルブ２１０の長辺部２１１ａ，２１１ｂの軸方向中央部それぞれをコア２で支持するものであってもよい。図４に示すランプホルダ６は、一対のアーム６０の一方が連結部２１２ａの内周部２１０ｂに当接し、他方が連結部２１２ｂの内周部２１０ｂに当接するものである。ランプホルダ６の各アーム６０は、各コア２Ａ，２Ｂとの間の放電路長が等しくなるように、連結部２１２ａ，２１２ｂそれぞれの中間部に位置する。なお、図４に示すランプホルダ６の代わりに、一対のアーム６０の一方が連結部２１２ａの外周部２１０ａに当接し、他方が連結部２１２ｂの外周部２１０ａに当接することでバルブ２１０を支持するランプホルダ６を用いてもよい。また、ランプホルダ６を複数個用いてもよく、例えば、各連結部２１２ａ，２１２ｂそれぞれの中間部をランプホルダ６でそれぞれ支持するようにしてもよい。
【００４３】
また、本実施形態の照明器具１は、図５に示すように、コア２を１個だけ備えるものであってもよい。図５に示すコア２は、連結部２１２ｂの中央部を支持する。ここで、図５に示すランプ２００のバルブ２１０は連結部２１２ｂが弧状ではなく直線状となっている。
【００４４】
図５に示すランプホルダ６は、アーム６０を１つだけ備える。当該アーム６０は、連結部２１２ａの内周部２１０ｂにその周方向（大円周方向）の中央部で当接する。これによって、アーム６０は、ランプ２００の放電路においてコア２を始点または終点とする部分、すなわちコア２から連結部２１２ｂ、長辺部２１１ａ、連結部２１２ａ、長辺部２１１ｂ、連結部２１２ｂを通ってコア２に至る部分の中間部分でバルブ２１０を保持する。そのため、ランプホルダ６のアーム６０とコア２との間の放電路長が、長辺部２１１ａ側と、長辺部２１１ｂ側とで等しくなる。なお、図５に示すランプホルダ６の代わりに、連結部２１２ａの外周部２１０ａに当接する１つのアーム６０のみを備えたランプホルダ６を用いてもよいし、連結部２１２ａの外周部２１０ａおよび内周部２１０ｂそれぞれに当接する一対のアーム６０を有したランプホルダ６を用いてもよい。
【００４５】
なお、本実施形態の照明器具１は、あくまでも本発明の一実施形態に過ぎないものであって、本発明を本実施形態の構成に限る趣旨ではなく、本発明の趣旨を逸脱しない範囲での変更は当然に行える。例えば、コア２の数は３個以上であってもよいし、ランプホルダ６の数も３個以上であってもよい。また、器具本体５は、上記のような矩形板状のものに限らず、ランプ２００が放射する光を反射するドーム状の反射板（図示せず）であってもよい。このような反射板には、ランプ２００を隠す透光カバー（図示せず）を設けてもよい。また、ランプ２００は、トーラス形状のものに限定されず、直管形状のものであってもよいし、球形状のものであってもよい。
【図面の簡単な説明】
【００４６】
【図１】本発明の一実施形態の照明器具を示し、（ａ）は概略平面図、（ｂ）は部分断面図である。
【図２】同上におけるランプホルダの他例を示す概略断面図である。
【図３】同上の照明器具の他例の一部を省略した概略平面図である。
【図４】同上の他例の照明器具の概略平面図である。
【図５】同上の他例の照明器具の概略平面図である。
【図６】従来例の照明器具を示し、（ａ）は概略平面図、（ｂ）は概略側面図である。
【符号の説明】
【００４７】
１    照明器具
２    コア
３    誘導コイル
４    点灯装置
５    器具本体
６    ランプホルダ
６０    アーム
２００    ランプ（無電極放電ランプ）
２１０    バルブ
【図１】
2009205854.tif 000003
【図２】
2009205854.tif 000004
【図３】
2009205854.tif 000005
【図４】
2009205854.tif 000006
【図５】
2009205854.tif 000007
【図６】
2009205854.tif 000008